(57)【要約】【課題】  周りの明るさに合わせてモニタ画面（動画）の輝度を自動調整することができ、少なくともモニタ画面を確認できる範囲の車両の乗員に対して快適な画面輝度のモニタ画面を提示できる車載用ＤＶＤシステムを得る。【解決手段】  モニタ４の画面に対する周囲の明るさを検知する照度センサ１と、車両５のフロントガラス７に対する周囲の明るさを検知する照度センサ２と、車両５内に設けられた後部座席用のモニタ４と、照度センサ１，２の出力に基づいてモニタ４の画面輝度を調整するＤＶＤ再生装置３とを備えたものである。【選択図】        図１
2005343332.tif 000002
【特許請求の範囲】
【請求項１】
周囲の光を検知する複数の照度センサと、車両内の所定位置に設けられたモニタと、上記照度センサの出力に基づいて上記モニタの画面輝度を調整する画面輝度調整手段とを備えたことを特徴とする車載用ＤＶＤシステム。
【請求項２】
複数の照度センサは、モニタの画面に対する周囲の明るさを検知する第１の照度センサと、車両のフロントガラス周囲の明るさを検知する第２の照度センサからなることを特徴とする請求項１記載の車載用ＤＶＤシステム。
【請求項３】
モニタは、車両内の後部座席用のものであることを特徴とする請求項１または請求項２記載の車載用ＤＶＤシステム。
【請求項４】
画面輝度調整手段は、モニタの画面輝度の調整を所定数のモニタ輝度モードに従って行うことを特徴とする請求項１から請求項３ののうちのいずれか１項記載の車載用ＤＶＤシステム。
【発明の詳細な説明】
【技術分野】
【０００１】
この発明は、ＤＶＤビデオ等の再生装置を搭載した車載用ＤＶＤシステムに関するものである。
【背景技術】
【０００２】
一般に、車両に設置されているモニタの画面は、周囲の明るさによって見易さが変わってくる。例えば、昼間は周りが明るいため、モニタの画面の輝度を明るくした方が見易くなる。しかしながら、夜も昼間と同じ表示だと画面が明る過ぎて目が疲れてしまう。このため、従来、モニタの画面輝度をその都度乗員が手動調整をする方法や、車両のヘッドライト情報に基づきモニタの画面について昼モード、夜モードの２段階の輝度設定を行う方法がある。この場合、夜モードは昼モードよりその輝度を下げた設定となっている。
また、従来、照度センサを設けて、ナビゲーション画面（静止画）の表示色やデザイン、或いは輝度を、外部要因により変更するものもある（例えば、特許文献１参照）。
【０００３】
【特許文献１】特開平４−３７２８１５号公報
【発明の開示】
【発明が解決しようとする課題】
【０００４】
しかしながら、上述した従来のモニタの画面輝度を手動調整する方法は、周囲の明るさに応じてその都度調整をしなければならないので、輝度調整が煩わしいという問題点があった。
また、車両のヘッドライト情報に基づきモニタの画面を昼モード、夜モードの２段階で輝度設定を行う方法は、実際に夜でもヘッドライトを消し停車している場合に画面輝度が昼モードになってしまうという問題点があり、また、場合によっては、逆光が気になったり、また、後続車のヘッドライト等がモニタ画面に映り込んで見にくい等の状況が発生しうるという問題点があった。
さらに、特許文献１に記載されているような従来のものは、静止画のみに対応したもので、動画には対応できず、しかもモニタを特定の座席、例えば後部座敷用とした場合には、これに対応できないという問題点があった。
【０００５】
この発明は、前記のような課題を解決するためになされたもので、周りの明るさに合わせてモニタの画面輝度を自動調整することができ、少なくともモニタ画面を確認できる範囲の車両の乗員に対して快適な画面輝度のモニタ画面（動画）を提示できる車載用ＤＶＤシステムを得ることを目的とする。
【課題を解決するための手段】
【０００６】
この発明に係る車載用ＤＶＤシステムは、周囲の光を検知する複数の照度センサと、車両内の所定位置に設けられたモニタと、照度センサの出力に基づいてモニタの画面輝度を調整する画面輝度調整手段とを備えたものである。
【発明の効果】
【０００７】
この発明は、周りの明るさに合わせてモニタの画面輝度を自動調整し、車両内の後部座席乗員等に快適な画面輝度を持つモニタ画面を提示できるという効果がある。
【発明を実施するための最良の形態】
【０００８】
以下、この発明の実施の一形態を説明する。
実施の形態１．
図１は、この発明の実施の形態１による車載用ＤＶＤシステムの構成を示すブロック図である。
図１において、車載用ＤＶＤシステムは、周囲の明るさを検知し、光の強さによって電気的出力が変化する複数の照度センサ例えば照度センサ１および２と、これら照度センサ１および２からの出力に基づいてＤＶＤ等を再生し映像信号を出力すると共に、モニタの画面（動画）輝度を調整する画面輝度調整手段としてのＤＶＤ再生装置３と、このＤＶＤ再生装置３からの映像信号を画像として表示するモニタ４とを備える。ここで、複数の照度センサの１つである照度センサ１は、モニタ４の画面に対する周囲の明るさを検知する第１の照度センサであり、残りの照度センサ２は、車両のフロントガラス周囲の明るさを検知する第２の照度センサである。
【０００９】
ＤＶＤ再生装置３は、メモリ（図示せず）に格納した制御プログラムを実行して、照度センサ１および２等で検知された情報を処理して出力するＣＰＵ３１と、このＣＰＵ３１からの出力からＤＶＤ等を再生し映像信号を出力するＤＶＤ再生手段３２と、ＣＰＵ３１からの指示に基づきモニタ４の画面輝度を調整する画面輝度調整手段３３を有する。
【００１０】
図２は、この発明の実施の形態１による車載用ＤＶＤシステムを車両に搭載した状態を示す配置図である。
図２において、ＤＶＤ再生装置３とモニタ４は、車両５の運転席・助手席の１列目より後方の位置に天吊りした状態で設置され、２列目以降の後部座席乗員６がモニタ４の画面を見ることができるように配置される。従って、モニタ４は実質的に後部座席用のモニタである。
【００１１】
車両５には、フロントガラス７、リアガラス８があり、各々外部から光、つまり外光９や或いは後続車ヘッドライト１０からの光が入る可能性がある。また、車両５が太陽に向かって位置する場合や、逆に太陽に背を向けて位置する場合があるが、各々によってモニタ４の画面の見え方が異なる可能性がある。そこで、本実施の形態では、照度センサ１はモニタ４の画面付近に設け、照度センサ２は車両５のフロントガラス７の下部に設ける。
【００１２】
次に、動作について説明する。
車両５に設置されたモニタ４の画面付近に設けられた照度センサ１と、車両５のフロントガラス７の下部に設けられた照度センサ２によりそれぞれ検知された明るさ情報がＤＶＤ再生装置３のＣＰＵ３１に入力され、この検知された明るさ情報に応じたＣＰＵ３１からの指示に基づき画面輝度調整手段３３がモニタ４の表示輝度を調整して適正な値にする。また、ＣＰＵ３１は、ＤＶＤ再生手段３２の再生、停止等の制御を行い、ＤＶＤ再生手段３２の出力がモニタ４に入力され、画像が表示される。
【００１３】
このように、照度センサ１および２の情報により、モニタ４の画面の輝度を自動調整することで、周りが非常に明るい晴天で昼間の場合は、モニタ４の画面の輝度が例えば最大になるようにし、曇りの空になってくれば晴天より若干輝度を下げるような多段階のきめ細かな処理が可能である。また、複数の照度センサ、ここでは、照度センサ１および２を設けることで、さらに逆光時や後続車のヘッドライト１０からの光がモニタ４に差し込む状況でも見やすい画面輝度とすることができる。
【００１４】
このときの、モニタ４の画面輝度の調整例（モニタ輝度モード判定例）を図３に示す。図３では、モニタ４の画面輝度の調整を行うモニタ輝度モードの数を、一例として４つのモニタ輝度モードとしているが、モード毎に輝度は一つである必要はなく、例えば昼モードでも晴天から曇天まで多段階に輝度調整を行うことができる。従って、照度センサ１および２の出力値は実際多段階の信号なので、この図３では、その多段階の信号のある一定幅の値を「暗」とし、残りのものを「明」と表記し、照度センサ１および２の出力値が共に「暗」の場合には、モニタ輝度モードは最も暗いモードである「夜」と判定（輝度を上げる必要なし）し、照度センサ１の出力値が「暗」で照度センサ２の出力値が「明」の場合には、モニタ輝度モードは西日等の「逆光」と判定（輝度を上げる必要あり）し、照度センサ１の出力値が「明」で照度センサ２の出力値が「暗」の場合には、モニタ輝度モードは「後続車ヘッドライト」と判定（輝度を上げる必要あり）し、照度センサ１および２の出力値が共に「明」の場合には、モニタ輝度モードは「昼」と判定（輝度を上げる必要あり）する。
従って、周りの明るさに合わせてモニタ４の画面が最適な輝度となるため、特に車両の後部座席に居る乗員に対して快適な表示画面を提示できる。
【００１５】
以上のように、実施の形態１によれば、周りの明るさに合わせて検知された複数の照度センサの出力に基づきモニタ画面（動画）の輝度を自動調整することで、車両内の後部座席乗員等に快適な画面輝度を持つモニタ画面を提示できる。
【００１６】
なお、上記実施の形態１では、モニタ４を、車両５の運転席・助手席の１列目より後方の２列目以降の後部座席乗員５がモニタ４の画面（動画）を見ることができる位置に配置した場合について説明したが、少なくともモニタ４の画面を確認できる範囲であれば、モニタ４の配置の場所は、上記の位置に限定されるものではない。
【図面の簡単な説明】
【００１７】
【図１】この発明の実施の形態１による車載用ＤＶＤシステムの構成を示すブロック図である。
【図２】この発明の実施の形態１による車載用ＤＶＤシステムを車両に搭載した状態を示す配置図である。
【図３】この発明の実施の形態１による車載用ＤＶＤシステムにおけるモニタの画面輝度の調整例を示す図である。
【符号の説明】
【００１８】
１，２  照度センサ、３  ＤＶＤ再生装置、４  モニタ、３１  ＣＰＵ、３２  ＤＶＤ再生手段、３３  画面輝度調整手段。
【図１】
2005343332.tif 000003
【図２】
2005343332.tif 000004
【図３】
2005343332.tif 000005